(57)【要約】【課題】高コスト化を招くことなく、データの不正コピーを防止することができるコピープロテクト方法を提供する。【解決手段】コピープロテクト要求があると、繰り返し再生時のデータの再現性が低い特定領域を含む特定トラックを光ディスク１５の記録面に形成する。そこで、光ディスクをアクセスする際に、特定領域に対応する領域を所定回数だけ繰り返して再生し、得られた再生データが全て同じであれば、その光ディスクはオリジナルディスクではなく、コピーされた光ディスクであると判断することができる。そして、以降のアクセスを禁止することにより、コピーされた光ディスクは使用不可能なディスクとなる。【選択図】  図１
2004355765.tif 000002
【特許請求の範囲】
【請求項１】
光ディスクに記録されたデータのコピーを防止するためのコピープロテクト方法であって、
繰り返し再生時のデータの再現性が低い特定領域を含む特定トラックを光ディスクの記録面に形成する工程を含むコピープロテクト方法。
【請求項２】
前記特定トラックはオーディオトラックであることを特徴とする請求項１に記載のコピープロテクト方法。
【請求項３】
前記特定領域の大きさは、ほぼ２セクタ分のデータが記録可能な大きさであることを特徴とする請求項１又は２に記載のコピープロテクト方法。
【請求項４】
前記特定領域には所定のコピープロテクト用データが記録され、
前記工程では、前記光ディスクにおける最適な記録条件とは異なる記録条件で前記コピープロテクト用データを記録することを特徴とする請求項１〜３のいずれか一項に記載のコピープロテクト方法。
【請求項５】
前記記録条件は、記録パワーを含み、
前記記録パワーは、前記光ディスクの最適な記録パワーよりも低く設定されたパワーであることを特徴とする請求項４に記載のコピープロテクト方法。
【請求項６】
前記工程では、前記特定トラック内の前記特定領域を除く領域にデータを記録することを特徴とする請求項１〜３のいずれか一項に記載のコピープロテクト方法。
【請求項７】
前記光ディスクの所定の参照領域を所定回数再生したときに各再生データがすべて一致すると前記光ディスクが不当な光ディスクであると判定する判定プログラムを記録する工程と；
前記参照領域に、繰り返し再生時のデータの再現性が低い特定領域を含む特定トラックを形成する工程と；を含む記録方法。
【請求項８】
光ディスクの記録面にレーザ光を照射し、前記記録面からの反射光を受光する光ピックアップ装置と、該光ピックアップ装置からの出力信号を用いて、データの記録、再生、及び消去のうち少なくとも記録を行なう処理装置とを備える光ディスク装置であって、
前記処理装置は、前記光ディスクの所定の参照領域を所定回数再生したときに各再生データがすべて一致すると前記光ディスクが不当な光ディスクであると判定する判定プログラムを含むデータの記録に際して、繰り返し再生時のデータの再現性が低い特定領域を含む特定トラックを前記参照領域に形成することを特徴とする光ディスク装置。
【請求項９】
前記光ディスクは、ＣＤ系の規格に準拠した光ディスクであることを特徴とする請求項８に記載の光ディスク装置。
【請求項１０】
光ディスクにデータを記録する情報記録システムであって、
請求項８又は９に記載の光ディスク装置と；
前記光ディスクに記録されるデータに対するコピープロテクト要求に応じて、前記判定プログラムの記録要求、及び前記特定トラックの形成要求を前記光ディスク装置に出力するコンピュータと；を備える情報記録システム。
【請求項１１】
光ディスクを情報記録の対象媒体とする情報記録装置であって、
前記光ディスクに記録されるデータに対するコピープロテクト要求に応答して、前記光ディスクの所定の参照領域を所定回数再生したときに各再生データがすべて一致すると前記光ディスクが不当な光ディスクであると判定する判定プログラムを記録する判定プログラム記録手段と；
前記参照領域に繰り返し再生時のデータの再現性が低い特定領域を含む特定トラックを形成する特定トラック形成手段と；を備える情報記録装置。
【発明の詳細な説明】
【０００１】
【発明の属する技術分野】
本発明は、コピープロテクト方法、記録方法、光ディスク装置及び情報記録システム、並びに情報記録装置に係り、更に詳しくは、光ディスクに記録されたデータの不正コピーを防止するためのコピープロテクト方法、光ディスクにデータを記録する記録方法、光ディスクに対してデータの記録、再生及び消去のうち少なくとも記録を行なう光ディスク装置、及び光ディスク装置とコンピュータとを備えた情報記録システム、並びに光ディスクを情報記録の対象媒体とする情報記録装置に関する。
【０００２】
【従来の技術】
近年、パーソナルコンピュータ（以下、「パソコン」という）は、その機能向上及び低価格化に伴い、企業だけでなく一般家庭でも広く用いられるようになった。そして、記録容量の大きな情報記録媒体としてＣＤ（ｃｏｍｐａｃｔ  ｄｉｓｃ）などの光ディスクが注目されるようになり、その低価格化とともに、光ディスクを情報記録の対象媒体とする光ディスク装置がパソコンの周辺機器の一つとして普及するようになった。
【０００３】
これにより、ユーザは光ディスク装置を用いてＣＤ−Ｒ（ＣＤ−ｒｅｃｏｒｄａｂｌｅ）やＣＤ−ＲＷ（ＣＤ−ｒｅｗｒｉｔａｂｌｅ）などに情報を記録することができるようになり、例えば購入したＣＤ−ＲＯＭなどのバックアップ用ディスクをユーザが自分で作成することが極めて容易となった。しかしながら、バックアップを容易に行うことができるため、不正コピーも可能となり、音楽、映画、写真及びコンピュータソフトなどの情報（以下「コンテンツ」ともいう）をＣＤ−ＲＯＭなどに書き込まれた状態、いわゆるパッケージメディアで市販しているコンテンツメーカに多大な被害を与えるようになった。そこで、不正コピーを防止するため、種々のコピープロテクト方法が考案された（特許文献１〜特許文献３参照）。
【０００４】
【特許文献１】
特開平７−２３５１３０号公報
【特許文献２】
特開２０００−３４８４３５号公報
【特許文献３】
特表２００１−５１０９２５号公報
【０００５】
【発明が解決しようとする課題】
近年、追記型の光ディスクであるＣＤ−Ｒの低価格化及びコンテンツの多様性に伴い、ＣＤ−Ｒに書き込まれた状態でコンテンツを販売するケースが増加している。この場合であっても、不正コピーはコンテンツメーカにとって死活問題である。しかしながら、上記特許文献１〜特許文献３に開示されているコピープロテクト方法を市販のＣＤ−Ｒに実施するにはコストを含み困難な点があり、通常の光ディスク装置を用いて市販のＣＤ−Ｒに実施可能なコピープロテクト方法に対する要求が高まっている。
【０００６】
本発明は、かかる事情の下になされたもので、その目的は、高コスト化を招くことなく、光ディスクに記録されたデータの不正コピーを防止することができるコピープロテクト方法、記録方法、光ディスク装置及び情報記録システム、並びに情報記録装置を提供することにある。
【０００７】
【課題を解決するための手段】
請求項１に記載の発明は、光ディスクに記録されたデータのコピーを防止するためのコピープロテクト方法であって、繰り返し再生時のデータの再現性が低い特定領域を含む特定トラックを光ディスクの記録面に形成する工程を含むコピープロテクト方法である。
【０００８】
なお、本明細書では、「再現性が低い」とは所定回数だけ繰り返して再生したときに、少なくとも１回の再生データが他と異なることをいう。
【０００９】
これによれば、繰り返し再生時のデータの再現性が低い特定領域を含む特定トラックが光ディスクの記録面に形成される。この特定トラックは不正にコピーされると特定領域に対応する領域は特定領域としての機能を失う。このため、例えば一般の情報再生装置などを用いて光ディスクがアクセスされたときに、先ず特定トラックに対応する領域を所定回数だけ繰り返して再生し、得られた再生データが全て同じであれば、その光ディスクはオリジナルディスクではなく、コピーされた光ディスクであると判断することができる。この場合に、例えば以降のアクセスを禁止することにより、コピーされた光ディスクは使用不可能なディスクとなり、実質的にコピープロテクトが行なわれることとなる。すなわち、繰り返し再生時のデータの再現性が低い特定領域を含む特定トラックを光ディスクの記録面に形成するだけで、光ディスクに記録されているデータを不正コピーから保護することができる。従って、結果として高コスト化を招くことなく、データの不正コピーを防止することが可能となる。
【００１０】
この場合において、請求項２に記載のコピープロテクト方法の如く、前記特定トラックはオーディオトラックであることとすることができる。
【００１１】
上記請求項１及び２に記載の各コピープロテクト方法において、請求項３に記載のコピープロテクト方法の如く、前記特定領域の大きさは、ほぼ２セクタ分のデータが記録可能な大きさであることとすることができる。
【００１２】
上記請求項１〜３に記載の各コピープロテクト方法において、請求項４に記載のコピープロテクト方法の如く、前記特定領域には所定のコピープロテクト用データが記録され、前記工程では、前記光ディスクにおける最適な記録条件とは異なる記録条件で前記コピープロテクト用データを記録することとすることができる。
【００１３】
この場合において、請求項５に記載のコピープロテクト方法の如く、前記記録条件が記録パワーを含む場合には、前記記録パワーは、前記光ディスクの最適な記録パワーよりも低く設定されたパワーであることとすることができる。
【００１４】
上記請求項１〜３に記載の各コピープロテクト方法において、請求項６に記載のコピープロテクト方法の如く、前記工程では、前記特定トラック内の前記特定領域を除く領域にデータを記録することとすることができる。
【００１５】
請求項７に記載の発明は、前記光ディスクの所定の参照領域を所定回数再生したときに各再生データがすべて一致すると前記光ディスクが不当な光ディスクであると判定する判定プログラムを記録する工程と；前記参照領域に、繰り返し再生時のデータの再現性が低い特定領域を含む特定トラックを形成する工程と；を含む記録方法である。
【００１６】
これによれば、光ディスクにデータを記録する際に、所定の参照領域を所定回数再生したときに各再生データがすべて一致すると該光ディスクが不当な光ディスクであると判定する判定プログラムが光ディスクに記録され、その参照領域に、繰り返し再生時のデータの再現性が低い特定領域を含む特定トラックが形成される。この特定トラックは不正にコピーされると特定領域に対応する領域は特定領域としての機能を失う。このため、例えば一般の情報再生装置などを用いて光ディスクがアクセスされたときに、先ず判定プログラムによって、その光ディスクがオリジナルディスクであるか不正にコピーされた光ディスクであるかを判定することができる。そして、その光ディスクが不正にコピーされた光ディスクであれば、例えば以降のアクセスを禁止することにより、コピーされた光ディスクは使用不可能なディスクとなり、実質的にコピープロテクトが行なわれることとなる。すなわち、判定プログラムと特定トラックとによって、光ディスクに記録されているデータを不正コピーから保護することができる。従って、結果として高コスト化を招くことなく、データの不正コピーを防止することが可能となる。
【００１７】
請求項８に記載の発明は、光ディスクの記録面にレーザ光を照射し、前記記録面からの反射光を受光する光ピックアップ装置と、該光ピックアップ装置からの出力信号を用いて、データの記録、再生、及び消去のうち少なくとも記録を行なう処理装置とを備える光ディスク装置であって、前記処理装置は、前記光ディスクの所定の参照領域を所定回数再生したときに各再生データがすべて一致すると前記光ディスクが不当な光ディスクであると判定する判定プログラムを含むデータの記録に際して、繰り返し再生時のデータの再現性が低い特定領域を含む特定トラックを前記参照領域に形成することを特徴とする光ディスク装置である。
【００１８】
これによれば、判定プログラムを含むデータの記録に際して、処理装置により、繰り返し再生時のデータの再現性が低い特定領域を含む特定トラックが光ディスクの記録面に形成される。この特定トラックは不正にコピーされると特定領域に対応する領域は特定領域としての機能を失う。このため、例えば一般の情報再生装置などを用いて光ディスクがアクセスされたときに、先ず判定プログラムによって、その光ディスクがオリジナルディスクであるか不正にコピーされた光ディスクであるかを判定することができる。そして、その光ディスクが不正にコピーされた光ディスクであれば、例えば以降のアクセスを禁止することにより、コピーされた光ディスクは使用不可能なディスクとなり、実質的にコピープロテクトが行なわれることとなる。すなわち、判定プログラムと特定トラックとによって、光ディスクに記録されているデータを不正コピーから保護することができる。従って、結果として高コスト化を招くことなく、データの不正コピーを防止することが可能となる。
【００１９】
この場合において、請求項９に記載の光ディスク装置の如く、前記光ディスクは、ＣＤ系の規格に準拠した光ディスクであることとすることができる。
【００２０】
請求項１０に記載の発明は、光ディスクにデータを記録する情報記録システムであって、請求項８又は９に記載の光ディスク装置と；前記光ディスクに記録されるデータに対するコピープロテクト要求に応じて、前記判定プログラムの記録要求、及び前記特定トラックの形成要求を前記光ディスク装置に出力するコンピュータと；を備える情報記録システムである。
【００２１】
これによれば、コピープロテクト要求に応じて、コンピュータから判定プログラムの記録要求、及び特定トラックの形成要求が光ディスク装置に出力される。そして、光ディスク装置によって、所定の参照領域を所定回数再生したときに各再生データがすべて一致すると該光ディスクが不当な光ディスクであると判定する判定プログラムが光ディスクに記録され、その参照領域に、繰り返し再生時のデータの再現性が低い特定領域を含む特定トラックが形成される。この特定トラックは不正にコピーされると特定領域に対応する領域は特定領域としての機能を失う。このため、例えば一般の情報再生装置などを用いて光ディスクがアクセスされたときに、先ず判定プログラムによって、その光ディスクがオリジナルディスクであるか不正にコピーされた光ディスクであるかを判定することができる。そして、その光ディスクが不正にコピーされた光ディスクであれば、例えば以降のアクセスを禁止することにより、コピーされた光ディスクは使用不可能なディスクとなり、実質的にコピープロテクトが行なわれることとなる。すなわち、判定プログラムと特定トラックとによって、光ディスクに記録されているデータを不正コピーから保護することができる。従って、結果として高コスト化を招くことなく、データの不正コピーを防止することが可能となる。
【００２２】
請求項１１に記載の発明は、光ディスクを情報記録の対象媒体とする情報記録装置であって、前記光ディスクに記録されるデータに対するコピープロテクト要求に応答して、前記光ディスクの所定の参照領域を所定回数再生したときに各再生データがすべて一致すると前記光ディスクが不当な光ディスクであると判定する判定プログラムを記録する判定プログラム記録手段と；前記参照領域に繰り返し再生時のデータの再現性が低い特定領域を含む特定トラックを形成する特定トラック形成手段と；を備える情報記録装置である。
【００２３】
これによれば、コピープロテクト要求に応じて、判定プログラム記録手段により、所定の参照領域を所定回数再生したときに各再生データがすべて一致すると該光ディスクが不当な光ディスクであると判定する判定プログラムが光ディスクに記録される。そして、特定トラック形成手段により、参照領域に、繰り返し再生時のデータの再現性が低い特定領域を含む特定トラックが形成される。この特定トラックは不正にコピーされると特定領域に対応する領域は特定領域としての機能を失う。このため、例えば一般の情報再生装置などを用いて光ディスクがアクセスされたときに、先ず判定プログラムによって、その光ディスクがオリジナルディスクであるか不正にコピーされた光ディスクであるかを判定することができる。そして、その光ディスクが不正にコピーされた光ディスクであれば、例えば以降のアクセスを禁止することにより、コピーされた光ディスクは使用不可能なディスクとなり、実質的にコピープロテクトが行なわれることとなる。すなわち、判定プログラムと特定トラックとによって、光ディスクに記録されているデータを不正コピーから保護することができる。従って、結果として高コスト化を招くことなく、データの不正コピーを防止することが可能となる。
【００２４】
【発明の実施の形態】
以下、本発明の一実施形態を図１〜図１１に基づいて説明する。図１には、本発明の一実施形態に係る情報記録システム１０の概略構成が示されている。
【００２５】
この図１に示される情報記録システム１０は、光ディスク装置２０と、該光ディスク装置２０を制御するコンピュータとしてのホスト９０とを含んで構成されている。
【００２６】
前記ホスト９０は、主制御装置９２、ＲＡＭ９３、インターフェース９４、ハードディスク（ＨＤＤ）９６、入力装置９７及び表示装置９８などを備えている。そして、それぞれは共通のバスを介して接続されている。
【００２７】
前記主制御装置９２は、ＣＰＵ９２ａ、メインメモリ９２ｂなどを含んで構成され、ホスト９０の全体を制御するとともに、制御に必要なデータ等を一時的に前記ＲＡＭ９３に保存する。
【００２８】
前記インターフェース９４は、前記光ディスク装置２０との双方向の通信インターフェースであり、一例としてＡＴＡＰＩ（ＡＴ  Ａｔｔａｃｈｍｅｎｔ  Ｐａｃｋｅｔ  Ｉｎｔｅｒｆａｃｅ）の規格に準拠している。
【００２９】
前記ＨＤＤ９６には、ＣＰＵ９２ａで解読可能なコードで記述されたプログラムが格納されている。なお、ＨＤＤ９６に格納されているプログラムは、必要に応じてメインメモリ９２ｂにロードされ、ＣＰＵ９２ａにより実行される。
【００３０】
前記表示装置９８は、例えばＣＲＴ、液晶ディスプレイ（ＬＣＤ）及びプラズマディスプレイパネル（ＰＤＰ）などを用いた表示部（図示省略）を備え、ＣＰＵ９２ａの指示に応じて表示部に各種情報を表示する。
【００３１】
前記入力装置９７は、例えばキーボード、マウス、タブレット、トラックボール、ライトペン及びタッチパネルなどのうち少なくとも１つの入力媒体（図示省略）を備え、ユーザから入力された各種情報をＣＰＵ９２ａに通知する。なお、入力媒体からの情報はワイヤレス方式で入力されても良い。また、表示装置９８と入力装置９７とが一体化されたものとして、例えばタッチパネル付きＣＲＴなどがある。
【００３２】
前記光ディスク装置２０は、光ディスク１５を回転駆動するためのスピンドルモータ２２、光ピックアップ装置２３、レーザコントロール回路２４、エンコーダ２５、モータドライバ２７、再生信号処理回路２８、サーボコントローラ３３、バッファＲＡＭ３４、バッファマネージャ３７、インターフェース３８、フラッシュメモリ３９、ＣＰＵ４０及びＲＡＭ４１などを備えている。なお、図１における接続線は、代表的な信号や情報の流れを示すものであり、各ブロックの接続関係の全てを表すものではない。また、本実施形態では、光ディスク装置２０は、一例としてＣＤ系の規格に準拠した光ディスクに対応しているものとする。
【００３３】
前記光ピックアップ装置２３は、光ディスク１５のスパイラル状又は同心円状のトラックが形成された記録面にレーザ光を照射するとともに、記録面からの反射光を受光するための装置である。この光ピックアップ装置２３は、一例として図２に示されるように、光源ユニット５１、コリメートレンズ５２、ビームスプリッタ５４、対物レンズ６０、２つの検出レンズ（５８，７２）、２つの受光器（５９，７３）、反射ミラー７１、及び駆動系（フォーカシングアクチュエータ、トラッキングアクチュエータ及びシークモータ（いずれも図示省略））などを備えている。
【００３４】
前記光源ユニット５１は、波長が７８０ｎｍのレーザ光を発光する半導体レーザ５１ａを含んで構成されている。なお、本実施形態では、光源ユニット５１から出射されるレーザ光の光束（以下「光束」と略述する）の最大強度出射方向を＋Ｘ方向とする。
【００３５】
前記コリメートレンズ５２は、光源ユニット５１の＋Ｘ側に配置され、光源ユニット５１から出射された光束を略平行光とする。
【００３６】
前記反射ミラー７１は、コリメートレンズ５２の近傍に配置され、光源ユニット５１から出射された光束の一部をモニタ用光束として−Ｚ方向に反射する。
【００３７】
前記ビームスプリッタ５４は、コリメートレンズ５２の＋Ｘ側に配置され、コリメートレンズ５２で略平行光とされた光束をそのまま透過させる。また、ビームスプリッタ５４は、光ディスク１５で反射され、前記対物レンズ６０を介して入射する光束（戻り光束）を−Ｚ方向に分岐する。
【００３８】
前記対物レンズ６０は、ビームスプリッタ５４の＋Ｘ側に配置され、ビームスプリッタ５４を透過した光束を光ディスク１５の記録面に集光する。
【００３９】
前記検出レンズ５８は、ビームスプリッタ５４の−Ｚ側に配置され、ビームスプリッタ５４で−Ｚ方向に分岐された戻り光束を前記受光器５９の受光面に集光する。受光器５９は、光電変換により受光量に応じた電流信号を生成し再生信号処理回路２８に出力する。なお、受光器５９の出力信号には、ウォブル信号情報、再生データ情報、フォーカスエラー情報及びトラックエラー情報などが含まれている。
【００４０】
前記検出レンズ７２は、反射ミラー７１の−Ｚ側に配置され、反射ミラー７１で−Ｚ方向に反射されたモニタ用光束を前記受光器７３の受光面に集光する。受光器７３は、光電変換により受光量に応じた電流信号を生成し、パワーモニタ信号としてレーザコントロール回路２４に出力する。
【００４１】
光ディスクでは、互いに反射率の異なるマーク領域及びスペース領域のそれぞれの長さとそれらの組み合わせとによって記録面にデータが記録される。
【００４２】
例えば光ディスク１５が、記録面に有機色素が含まれている追記型の光ディスクであるＣＤ−Ｒ（ＣＤ−ｒｅｃｏｒｄａｂｌｅ）の場合では、マーク領域を形成するときには光源ユニット５１から出射されるレーザ光のパワー（以下「発光パワー」ともいう）を大きくして色素を加熱及び溶解し、そこに接しているディスク基板部分を変質・変形させている。一方、スペース領域を形成するときにはディスク基板が変質・変形しないように発光パワーを再生時と同程度に小さくしている。これにより、マーク領域ではスペース領域よりも反射率が低くなる。なお、マーク領域を形成するときの発光パワーはピークパワー（又は記録パワー）、スペース領域を形成するときの発光パワーはボトムパワーとも呼ばれている。
【００４３】
また光ディスク１５が、記録面に特殊合金が含まれる書き換え可能な光ディスクであるＣＤ−ＲＷ（ＣＤ−ｒｅｗｒｉｔａｂｌｅ）の場合では、マーク領域を形成するときには特殊合金を第１の温度に加熱したのち急冷し、アモルファス（非晶質）状態にしている。一方、スペース領域を形成するときには特殊合金を第２の温度（＜第１の温度）に加熱したのち徐冷し、結晶状態にしている。これにより、マーク領域ではスペース領域よりも反射率が低くなる。この場合には、蓄熱の影響を除去するために、マーク領域を形成するときの発光パワーを複数のパルスに分割（マルチパルス化）することが行なわれている。マルチパルス化された発光パワーの最大値はピークパワー（又は記録パワー）、最小値はボトムパワーとも呼ばれている。また、スペース領域を形成するときの発光パワーはイレーズパワー（ピークパワー＞イレーズパワー＞ボトムパワー）とも呼ばれている。
【００４４】
前記再生信号処理回路２８は、図３に示されるように、Ｉ／Ｖアンプ２８ａ、サーボ信号検出回路２８ｂ、ウォブル信号検出回路２８ｃ、ＲＦ信号検出回路２８ｄ、及びデコーダ２８ｅなどから構成されている。
【００４５】
Ｉ／Ｖアンプ２８ａは、前記受光器５９の出力信号である電流信号を電圧信号に変換するとともに、所定のゲインで増幅する。サーボ信号検出回路２８ｂは、Ｉ／Ｖアンプ２８ａの出力信号に基づいてサーボ信号（フォーカスエラー信号及びトラックエラー信号など）を検出する。ここで検出されたサーボ信号はサーボコントローラ３３に出力される。ウォブル信号検出回路２８ｃは、Ｉ／Ｖアンプ２８ａの出力信号に基づいてウォブル信号を検出する。ＲＦ信号検出回路２８ｄは、Ｉ／Ｖアンプ２８ａの出力信号に基づいてＲＦ信号を検出する。
【００４６】
デコーダ２８ｅは、ウォブル信号検出回路２８ｃで検出されたウォブル信号から、ＡＴＩＰ（Ａｂｓｏｌｕｔｅ  Ｔｉｍｅ  Ｉｎ  Ｐｒｅｇｒｏｏｖｅ）情報及び同期信号などを抽出する。ここで抽出されたＡＴＩＰ情報はＣＰＵ４０に出力され、同期信号はエンコーダ２５に出力される。また、デコーダ２８ｅは、ＲＦ信号検出回路２８ｄで検出されたＲＦ信号に対して復号処理及び誤り検出処理等を行なった後、再生データとしてバッファマネージャ３７を介してバッファＲＡＭ３４に格納する。なお、デコーダ２８ｅは、誤り検出処理において誤りが検出されると、所定の誤り訂正処理を行う。
【００４７】
図１に戻り、前記サーボコントローラ３３は、サーボ信号検出回路２８ｂからのフォーカスエラー信号に基づいてフォーカスずれを補正するためのフォーカス制御信号を生成する。また、サーボコントローラ３３は、サーボ信号検出回路２８ｂからのトラックエラー信号に基づいてトラックずれを補正するためのトラッキング制御信号を生成する。ここで生成された各制御信号は、サーボオンのときにモータドライバ２７に出力され、サーボオフのときにはモータドライバ２７に出力されない。サーボオン及びサーボオフはＣＰＵ４０によって設定される。
【００４８】
前記モータドライバ２７は、上記フォーカス制御信号に基づいてフォーカシングアクチュエータの駆動信号を光ピックアップ装置２３に出力し、上記トラッキング制御信号に基づいてトラッキングアクチュエータの駆動信号を光ピックアップ装置２３に出力する。すなわち、サーボ信号検出回路２８ｂ、サーボコントローラ３３及びモータドライバ２７によってトラッキング制御及びフォーカス制御が行われる。また、モータドライバ２７は、ＣＰＵ４０からの制御信号に基づいてスピンドルモータ２２及び前記シークモータの駆動信号をそれぞれ出力する。
【００４９】
前記バッファＲＡＭ３４は、光ディスクに記録するデータ（記録用データ）、及び光ディスクから再生したデータ（再生データ）などが一時的に格納されるバッファ領域と、各種プログラム変数などが格納される変数領域とを有している。
【００５０】
前記バッファマネージャ３７は、バッファＲＡＭ３４へのデータの入出力を管理する。そして、バッファ領域に蓄積されたデータ量が所定量になるとＣＰＵ４０に通知する。
【００５１】
前記エンコーダ２５は、ＣＰＵ４０の指示に基づいてバッファＲＡＭ３４のバッファ領域に蓄積されている記録用データをバッファマネージャ３７を介して取り出し、エラー訂正コードの付加、制御信号の付加及びＥＦＭ変調などを行ない、光ディスク１５への書き込み信号を生成する。記録用データ及び書き込み信号は、それぞれレーザコントロール回路２４に出力される。
【００５２】
前記レーザコントロール回路２４は、図４に示されるように、駆動信号生成回路２４ａ、変調回路２４ｂ、パターン判定回路２４ｃ、レベル設定回路２４ｄ、及び補正回路２４ｅなどから構成されている。
【００５３】
変調回路２４ｂは、エンコーダ２５からの書き込み信号Ｗｄａｔａ、及び再生信号処理回路２８からのクロック信号Ｗｃｋに基づいて、変調信号を生成する。ここで生成された変調信号は駆動信号生成回路２４ａに出力される。
【００５４】
補正回路２４ｅは、前記受光器７３からのパワーモニタ信号に基づいて補正信号を生成する。ここで生成された補正信号は駆動信号生成回路２４ａに出力される。
【００５５】
パターン判定回路２４ｃは、一例として図５に示されるように、２つのレジスタ（Ｒ１，Ｒ２）、２つの比較器（ＣＰ１，ＣＰ２）、カウンタＣＴ、遅延回路ＤＲ、及び選択スイッチＳＷなどを備えている。
【００５６】
レジスタＲ１には、カウンタＣＴの値と比較される基準回数が格納されている。レジスタＲ２には、記録用データと比較される基準パターンが格納されている。基準回数及び基準パターンはそれぞれＣＰＵ４０から設定される。なお、本実施形態では、一例としてレジスタＲ１に「２０ｈ」、レジスタＲ２に「４０００ｈ」が格納されているものとする。
【００５７】
比較器ＣＰ１はエンコーダ２５からの記録用データとレジスタＲ２に格納されている基準パターンとを比較し、記録用データと基準パターンとが一致する場合にはカウンタＣＴの値を＋１する。一方、記録用データと基準パターンとが一致しない場合にはカウンタＣＴの値を０リセットする。また、カウンタＣＴの値はＣＰＵ４０から０リセットすることが可能である。
【００５８】
比較器ＣＰ２はカウンタＣＴの値とレジスタＲ１に格納されている基準回数とを比較し、カウンタＣＴの値が基準回数未満の場合には出力信号を０（ローレベル）とする。一方、カウンタＣＴの値が基準回数以上の場合には出力信号を１（ハイレベル）とする。この比較器ＣＰ２の出力信号は遅延回路ＤＲに供給される。
【００５９】
遅延回路ＤＲはエンコーダ２５での書き込み信号作成に要する時間にほぼ相当する時間だけ入力信号を遅延させて出力する。スイッチＳＷは遅延回路ＤＲの出力段に配置され、ＣＰＵ４０からのパターン判定要求信号Ｓｈａｎに応じて遅延回路ＤＲの出力信号のレベル設定回路２４ｄへの供給をオン／オフする。すなわち、遅延回路ＤＲの出力信号はスイッチＳＷがオン状態のときにのみレベル設定回路２４ｄに供給される。なお、スイッチＳＷがオフ状態のときには、パターン判定回路２４ｃからレベル設定回路２４ｄへの出力信号は０（ローレベル）となる。また、本実施形態では、一例としてＳｈａｎ＝１のときにスイッチＳＷがオン状態となり、Ｓｈａｎ＝０のときにスイッチＳＷがオフ状態となるように設定されている。
【００６０】
レベル設定回路２４ｄは、図６に示されるようにボトムレベル設定回路Ｌｂｔｍ及びピークレベル設定回路Ｌｐｋを有している。ボトムレベル設定回路ＬｂｔｍはＣＰＵ４０からのパワー情報に基づいてボトムパワーに関する情報を含むボトムパワー情報信号Ｂｄａｔａを生成する。ここで生成されたボトムパワー情報信号Ｂｄａｔａは駆動信号生成回路２４ａに出力される。
【００６１】
ピークレベル設定回路Ｌｐｋは、図７に示されるように最適レベル設定回路Ｒｐ１、低レベル設定回路Ｒｐ２、及び切替スイッチＳＷｐなどを備えている。最適レベル設定回路Ｒｐ１はＣＰＵ４０からのパワー情報に基づいて最適なピークパワーに関する情報を含む信号を生成する。低レベル設定回路Ｒｐ２はＣＰＵ４０からのパワー情報に基づいて最適なピークパワーの約７割のパワーに関する情報を含む信号を生成する。切替スイッチＳＷｐはパターン判定回路２４ｃの出力信号に基づいて、最適レベル設定回路Ｒｐ１の出力信号、及び低レベル設定回路Ｒｐ２の出力信号の一方を選択し、ピークパワー情報信号Ｐｄａｔａとして駆動信号生成回路２４ａに出力する。ここでは、パターン判定回路２４ｃの出力信号が０（ローレベル）のときに最適レベル設定回路Ｒｐ１の出力信号が選択され、パターン判定回路２４ｃの出力信号が１（ハイレベル）のときに低レベル設定回路Ｒｐ２の出力信号が選択されるように設定されている。
【００６２】
図４に戻り、前記駆動信号生成回路２４ａは、変調回路２４ｂの出力信号、レベル設定回路２４ｄの出力信号及び補正回路２４ｅの出力信号に基づいて、半導体レーザ５１ａを駆動するための駆動信号Ｉｄｒｖを生成する。
【００６３】
図１に戻り、前記インターフェース３８は、ホスト９０との双方向の通信インターフェースであり、ホスト９０のインターフェース９４と同一の規格に準拠している。このインターフェース３８はインターフェース９４と接続されている。なお、各インターフェース間の接続形態は、通信ケーブルなどを用いたケーブル接続だけでなく、赤外線などを利用したワイヤレス接続であっても良い。
【００６４】
前記フラッシュメモリ３９はプログラム領域とデータ領域とを備えており、プログラム領域には、ＣＰＵ４０にて解読可能なコードで記述されたプログラムが格納されている。データ領域には、半導体レーザ５１ａのＩ−Ｌ特性に関する情報、シーク動作に関する情報（以下「シーク情報」ともいう）などが格納されている。
【００６５】
前記ＣＰＵ４０は、フラッシュメモリ３９のプログラム領域に格納されているプログラムに従って上記各部の動作を制御するとともに、制御に必要なデータなどをバッファＲＡＭ３４の変数領域及びＲＡＭ４１に保存する。
【００６６】
光ディスク１５が光ディスク装置２０の所定位置にローディングされると、ＣＰＵ４０は光ディスク１５に対応したパワー情報をレベル設定回路２４ｄに出力する。また、ＣＰＵ４０はパターン判定回路２４ｃにおけるカウンタＣＴを０リセットするとともに、基準回数及び基準パターンを設定する。なお、基準回数及び基準パターンはフラッシュメモリ３９のデータ領域に格納されている。さらに、ＣＰＵ４０はパターン判定要求信号Ｓｈａｎに０をセットする。これにより、スイッチＳＷはオフ状態となる。
【００６７】
ここで、ブートプログラムを有するアプリケーションプログラムを含むデータ（プロテクト対象データ）を光ディスク１５に記録する際に、ユーザが入力装置９７を介してコピープロテクトを要求したときのホスト９０における処理動作について図８を用いて説明する。コピープロテクト要求が入力されると、図８のフローチャートに対応するプログラムがＨＤＤ９６からメインメモリ９２ｂにロードされ、処理がスタートする。なお、図８のフローチャートは、ＣＰＵ９２ａによって実行される一連の処理アルゴリズムに対応している。また、前記ブートプログラムは、光ディスクのオーディオトラックを所定回数再生したときに各再生データがすべて一致するとその光ディスクが不当な光ディスクであると判定する判定プログラムを含んでいる。
【００６８】
最初のステップ４０１では、プロテクト対象データのデータ量に基づいて、光ディスク１５におけるオーディオトラックの形成領域を決定する。
【００６９】
次のステップ４０３では、前記オーディオトラックの中で、予め設定されている特定パターン（ここでは基準パターン４０００ｈの繰り返しパターン）が記録される領域（以下「特定領域」という）を決定する。なお、特定領域は、オーディオトラックの中に複数存在しても良い。また、特定領域の大きさは、ほぼ２セクタ分のデータが記録可能な大きさとする。
【００７０】
次のステップ４０５では、前記ブートプログラムにオーディオトラック及び特定領域に関する情報を記述する。
【００７１】
次のステップ４０７では、コンピュータ用データの記録モードを設定する設定コマンドを発行する。
【００７２】
次のステップ４０９では、プロテクト対象データの書き込み領域に関する情報を含む記録要求コマンドを発行する。
【００７３】
次のステップ４１１では、プロテクト対象データを光ディスク装置２０に転送する。
【００７４】
次のステップ４１３では、ＨＤＤ９６から所定のオーディオデータを取り出す。
【００７５】
次のステップ４１５では、前記特定領域に対応するオーディオデータを前記特定パターンに書き換える。
【００７６】
次のステップ４１７では、オーディオデータの記録モードを設定する設定コマンドを発行する。
【００７７】
次のステップ４１９では、前記オーディオトラックの形成位置に関する情報を含む記録要求コマンドを発行する。
【００７８】
次のステップ４２１では、一部が特定パターンに書き換えられたオーディオデータを光ディスク装置２０に転送する。そして、処理を終了する。
【００７９】
次に、ホスト９０からの記録要求コマンドを受信したときの光ディスク装置２０における処理動作について図９を用いて説明する。図９のフローチャートは、ＣＰＵ４０によって実行される一連の処理アルゴリズムに対応し、ホスト９０から記録要求コマンドを受信すると、図９のフローチャートに対応するプログラムの先頭アドレスがＣＰＵ４０のプログラムカウンタにセットされ、処理が開始される。
【００８０】
最初のステップ５０１では、記録速度に基づいてスピンドルモータ２２の回転を制御するための制御信号をモータドライバ２７に出力するとともに、ホストから記録要求コマンドを受信した旨を再生信号処理回路２８に通知する。また、ホストから受信したデータ（記録用データ）のバッファＲＡＭ３４への蓄積をバッファマネージャ３７に指示する。
【００８１】
次のステップ５０３では、記録用データの種類を取得する。なお、記録用データの種類については、記録要求コマンドに先立って受信している記録モードの設定コマンドから判別することができる。
【００８２】
次のステップ５０５では、記録用データがオーディオデータであるか否かを判断する。記録用データがオーディオデータであれば、ここでの判断は肯定されステップ５０７に移行する。
【００８３】
このステップ５０７では、パターン判定回路２４ｃのカウンタＣＴを０リセットする。
【００８４】
次のステップ５０９では、前記パターン判定要求信号Ｓｈａｎに１をセットする。これにより、遅延回路ＤＲの出力信号がレベル設定回路２４ｄに供給される。
【００８５】
次のステップ５１３では、光ディスク１５の回転が所定の線速度に達していることを確認すると、サーボコントローラ３３に対してサーボオンを設定する。これにより、前述の如くトラッキング制御及びフォーカス制御が行われる。
【００８６】
次のステップ５１５では、記録速度に基づいてＯＰＣ（Ｏｐｔｉｍｕｍ  Ｐｏｗｅｒ  Ｃｏｎｔｒｏｌ）を行い、最適な記録パワーを取得する。すなわち、記録パワーを段階的に変化させつつ、ＰＣＡ（Ｐｏｗｅｒ  Ｃａｌｉｂｒａｔｉｏｎ  Ａｒｅａ）と呼ばれる試し書き領域に所定のデータを試し書きした後、それらのデータを順次再生し、例えばＲＦ信号から検出されたアシンメトリの値が予め実験等で求めた目標値とほぼ一致する場合を最も高い記録品質であると判断し、そのときの記録パワーを最適な記録パワーとする。ここで取得された最適な記録パワーに関する情報はレベル設定回路２４ｄに通知される。
【００８７】
次のステップ５２１では、再生信号処理回路２８からの前記ＡＴＩＰ情報に基づいて現在のアドレスを取得する。
【００８８】
次のステップ５２３では、現在のアドレスと記録要求コマンドから抽出した目標アドレスとの差分（アドレス差）を算出する。
【００８９】
次のステップ５２５では、アドレス差に基づいてシークが必要であるか否かを判断する。ここでは、前記シーク情報の一つとしてフラッシュメモリ３９に格納されている閾値を参照し、アドレス差が閾値を越えていれば、ここでの判断は肯定され、ステップ５２７に移行する。
【００９０】
このステップ５２７では、アドレス差に応じたシークモータの制御信号をモータドライバ２７に出力する。これにより、シークモータが駆動し、シーク動作が行なわれる。そして、前記ステップ５２１に戻る。
【００９１】
一方、前記ステップ５２５において、アドレス差が閾値を越えていなければ、ここでの判断は否定され、ステップ５３１に移行する。
【００９２】
このステップ５３１では、現在のアドレスが目標アドレスと一致しているか否かを判断する。現在のアドレスが目標アドレスと一致していなければ、ここでの判断は否定され、ステップ５３３に移行する。
【００９３】
このステップ５３３では、再生信号処理回路２８からのＡＴＩＰ情報に基づいて現在のアドレスを取得する。そして、前記ステップ５３１に戻る。
【００９４】
以下、前記ステップ５３１での判断が肯定されるまで、ステップ５３１→５３３の処理を繰り返し行う。
【００９５】
現在のアドレスが目標アドレスと一致すれば、前記ステップ５３１での判断は肯定され、ステップ５３５に移行する。
【００９６】
このステップ５３５では、エンコーダ２５に書き込みを許可する。これにより、記録用データ及び書き込み信号がそれぞれレーザコントロール回路２４に出力され、前述したようにして生成された駆動信号Ｉｄｒｖが半導体レーザ５１ａに供給される。すなわち、記録用データは、エンコーダ２５、レーザコントロール回路２４及び光ピックアップ装置２３を介して光ディスク１５に書き込まれる。記録用データがすべて書き込まれるとステップ５３７に移行する。
【００９７】
このステップ５３７では、パターン判定要求信号Ｓｈａｎに０をセットする。そして、記録要求コマンドを受信したときの処理を終了する。
【００９８】
なお、上記ステップ５０５において、記録用データがオーディオデータでなければ、ステップ５０５での判断は否定されステップ５１１に移行する。
【００９９】
このステップ５１１では、パターン判定要求信号Ｓｈａｎに０をセットする。そして、前記ステップ５１３に移行する。
【０１００】
続いて、ユーザが入力装置９７を介して光ディスク１５に記録されているアプリケーションプログラムの実行要求を入力したときのホスト９０における処理動作について図１０を用いて説明する。
【０１０１】
アプリケーションプログラムの実行要求が入力されると、図１０のフローチャートに対応するブートプログラムが光ディスク１５からメインメモリ９２ｂにロードされ、ブート処理がスタートする。なお、図１０のフローチャートは、ＣＰＵ９２ａによって実行される一連の処理アルゴリズムに対応している。
【０１０２】
最初のステップ６０１では、前記オーディオトラックに関する情報を読み出す。
【０１０３】
次のステップ６０３では、オーディオトラックを再生領域とする再生要求コマンドを発行する。
【０１０４】
次のステップ６０５では、光ディスク装置２０から再生データを受信すると、再生データＤ１としてＲＡＭ９３に保存する。
【０１０５】
次のステップ６０７では、再度、オーディオトラックを再生領域とする再生要求コマンドを発行する。
【０１０６】
次のステップ６０９では、光ディスク装置２０から再生データを受信すると、再生データＤ２としてＲＡＭ９３に保存する。
【０１０７】
次のステップ６１１では、再生データＤ１と再生データＤ２とが等しいか否かを判断する。再生データＤ１と再生データＤ２とが等しければ、ここでの判断は肯定され、ステップ６１３に移行する。
【０１０８】
このステップ６１３では、更に、オーディオトラックを再生領域とする再生要求コマンドを発行する。
【０１０９】
次のステップ６１５では、光ディスク装置２０から再生データを受信すると、再生データＤ３としてＲＡＭ９３に保存する。
【０１１０】
次のステップ６１７では、再生データＤ１と再生データＤ３とが等しいか否かを判断する。再生データＤ１と再生データＤ３とが等しければ、ここでの判断は肯定され、ステップ６１９に移行する。
【０１１１】
このステップ６１９では、光ディスク１５が不正にコピーされたディスクであると判断する。
【０１１２】
次のステップ６２１では、アプリケーションプログラムを起動できないことを表示装置９８に表示し、アプリケーションプログラムを起動せずにブート処理を終了する。
【０１１３】
なお、上記ステップ６１１において、再生データＤ１と再生データＤ２とが等しくなければ、ステップ６１１での判断は否定され、ステップ６２３に移行する。
【０１１４】
このステップ６２３では、光ディスク１５がオリジナルディスクであると判断する。
【０１１５】
次のステップ６２５では、ユーザが指定したアプリケーションプログラムを起動する。そして、ブート処理を終了する。
【０１１６】
また、前記ステップ６１７において、再生データＤ１と再生データＤ３とが等しくなければ、ステップ６１７での判断は否定され、ステップ６２３に移行する。
【０１１７】
ここで、ホスト９０から再生要求コマンドを受信したときの光ディスク装置２０における処理動作について図１１を用いて説明する。図１１のフローチャートは、ＣＰＵ４０によって実行される一連の処理アルゴリズムに対応し、ホスト９０から再生要求コマンドを受信すると、図１１のフローチャートに対応するプログラムの先頭アドレスがＣＰＵ４０のプログラムカウンタにセットされ、処理が開始される。
【０１１８】
最初のステップ７１１では、再生速度に基づいてスピンドルモータ２２の回転を制御するための制御信号をモータドライバ２７に出力するとともに、ホスト９０から再生要求コマンドを受信した旨を再生信号処理回路２８に通知する。
【０１１９】
次のステップ７１３では、光ディスク１５の回転が所定の線速度に達していることを確認すると、サーボコントローラ３３に対してサーボオンを設定する。これにより、前述の如くトラッキング制御及びフォーカス制御が行われる。
【０１２０】
次のステップ７２１では、再生信号処理回路２８からのＡＴＩＰ情報に基づいて現在のアドレスを取得する。
【０１２１】
次のステップ７２３では、現在のアドレスと再生要求コマンドから抽出した目標アドレスとの差分（アドレス差）を算出する。
【０１２２】
次のステップ７２５では、前記ステップ５２５と同様にして、シークが必要であるか否かを判断する。シークが必要であれば、ここでの判断は肯定され、ステップ７２７に移行する。
【０１２３】
このステップ７２７では、アドレス差に応じたシークモータの制御信号をモータドライバ２７に出力する。そして、前記ステップ７２１に戻る。
【０１２４】
一方、前記ステップ７２５において、シークが必要でなければ、ここでの判断は否定され、ステップ７３１に移行する。
【０１２５】
このステップ７３１では、現在のアドレスが目標アドレスと一致しているか否かを判断する。現在のアドレスが目標アドレスと一致していなければ、ここでの判断は否定され、ステップ７３３に移行する。
【０１２６】
このステップ７３３では、再生信号処理回路２８からのＡＴＩＰ情報に基づいて現在のアドレスを取得する。そして、前記ステップ７３１に戻る。
【０１２７】
以下、前記ステップ７３１での判断が肯定されるまで、ステップ７３１→７３３の処理を繰り返し行う。
【０１２８】
現在のアドレスが目標アドレスと一致すれば、前記ステップ７３１での判断は肯定され、ステップ７３５に移行する。
【０１２９】
このステップ７３５では、再生信号処理回路２８に読み取りを指示する。これにより、ＲＦ信号検出回路２８ｄ及びデコーダ２８ｅを介して再生データが取得され、バッファＲＡＭ３４に格納される。再生データはセクタ単位でバッファマネージャ３７及びインターフェース３８を介してホスト９０に転送される。そして、再生要求コマンドを受信したときの処理を終了する。
【０１３０】
以上の説明から明らかなように、本実施形態に係る光ディスク装置では、ＣＰＵ４０及び該ＣＰＵ４０にて実行されるプログラムとによって、処理装置が実現されている。しかしながら、本発明がこれに限定されるものではないことは勿論である。すなわち、上記実施形態は一例に過ぎず、ＣＰＵ４０によるプログラムに従う上記処理によって実現した処理装置の少なくとも一部をハードウェアによって構成することとしても良いし、あるいは全てをハードウェアによって構成することとしても良い。
【０１３１】
また、ＣＰＵ４０及び該ＣＰＵ４０にて実行されるプログラムとによって、本発明に係るコピープロテクト方法及び記録方法が実施されている。
【０１３２】
以上説明したように、本実施形態に係る光ディスク装置によると、ホスト９０から受信した記録用データの中に、特定パターンと同じパターンのデータ列が含まれていると、光ディスク１５の最適な記録パワーよりも低いパワーがピークパワー（記録パワー）に設定される。これにより、繰り返し再生を行なったときに、データの再現性が低い特定領域を含む特定トラックが光ディスクに形成される。この特定トラックは不正にコピーされると特定領域に対応する領域は特定領域としての機能を失う。このため、例えば一般の情報再生装置などを用いて光ディスクがアクセスされたときに、特定トラックを繰り返し再生することにより、その光ディスクがオリジナルディスクであるか不正にコピーされた光ディスクであるかを判定することができる。そして、判定の結果、その光ディスクが不正にコピーされた光ディスクであれば、例えば以降のアクセスを禁止することにより、コピーされた光ディスクは使用不可能なディスクとなり、実質的にコピープロテクトが行なわれることとなる。すなわち、繰り返し再生時のデータの再現性が低い特定領域を含む特定トラックを光ディスクの記録面に形成することで、光ディスクに記録されているデータを不正コピーから保護することができる。従って、結果として高コスト化を招くことなく、データの不正コピーを防止することが可能となる。
【０１３３】
また、本実施形態によると、特定トラックは、オーディオトラックであるために、記録品質が低くて、誤り訂正処理を行なっても訂正しきれない場合であっても何らかの再生データを得ることができる。
【０１３４】
また、本実施形態によると、特定領域は２セクタ分のデータが記録可能な領域であるため、デコーダ２８ｅにてデータが完全に訂正されるのを防止できるとともに、読み込み動作の安定性を向上させることができる。
【０１３５】
また、本実施形態によると、４０００ｈが２０ｈ回繰り返されたパターンを特定パターンとしている。これにより、パターン判定回路２４ｃの回路構成を単純化することができ、低コスト化を促進することが可能となる。
【０１３６】
また、本実施形態に係る情報記録システムによると、ホスト９０は、ユーザからのコピープロテクト要求に応答して、アクセス要求に応じて光ディスクの正当性チェックを行なうブートプログラムを有するアプリケーションプログラムを含むデータの記録要求と、繰り返し再生時のデータの再現性が低い特定領域を含むオーディオトラックを正当性チェックの際に参照される領域に形成する形成要求とを光ディスク装置に出力している。これにより、光ディスク装置によって、光ディスクにブートプログラムを有するアプリケーションプログラムを含むデータが記録され、正当性チェックの際に参照される領域にオーディオトラックが形成される。このオーディオトラックは不正にコピーされると特定領域に対応する領域は特定領域としての機能を失う。このため、例えば一般の情報再生装置などを用いてアプリケーションプログラムを実行させようとしたときに、先ずブートプログラムによって、その光ディスクがオリジナルディスクであるか不正にコピーされた光ディスクであるかを判定することができる。そして、その光ディスクが不正にコピーされた光ディスクであれば、アプリケーションプログラムの実行を禁止することにより、コピーされた光ディスクは使用不可能なディスクとなり、実質的にコピープロテクトが行なわれることとなる。すなわち、ブートプログラムと特定トラックとによって、光ディスクに記録されているデータを不正コピーから保護することができる。従って、結果として高コスト化を招くことなく、データの不正コピーを防止することが可能となる。
【０１３７】
なお、上記実施形態では、基本パターンに４０００ｈが設定されている場合について説明したが、これに限定されるものではない。例えばホスト９０から基本パターンを設定、変更できるようにしても良い。このときには、オーディオデータとしてはありえないパターンを基本パターンとするのが好ましい。
【０１３８】
また、上記実施形態では、基準回数として２０ｈが設定されている場合について説明したが、これに限定されるものではない。例えばホスト９０から基準回数を設定、変更できるようにしても良い。
【０１３９】
また、上記実施形態では、パターン判定要求信号Ｓｈａｎの０から１への変化をパターン判定開始要求とし、パターン判定要求信号Ｓｈａｎの１から０への変化をパターン判定終了要求としているが、これに限らず、反対にパターン判定要求信号Ｓｈａｎの１から０への変化をパターン判定開始要求とし、パターン判定要求信号Ｓｈａｎの０から１への変化をパターン判定終了要求としても良い。また、予めパターン判定開始コマンド及びパターン判定終了コマンドを決めていても良い。
【０１４０】
また、上記実施形態では、レベル設定回路２４ｄにおいて、パターン判定回路２４ｃの出力信号が１のときに最適なピークパワーの７割程度のパワーをピークパワーとする場合について説明したが、本発明がこれに限定されるものではない。要するに、再生処理を繰り返したときのデータの再現性が低ければ良い。
【０１４１】
さらに、パターン判定回路２４ｃの出力信号が１のときに光ディスク１５の再生パワーと同程度のパワーをピークパワーに設定しても良い。この場合には、書き込み信号は光ディスクに記録されない。ＣＤ−ＲＯＭなどのスタンプディスクではピットが記録されていないとトラッキング制御ができなくなってしまうが、ＣＤ−Ｒ及びＣＤ−ＲＷでは予め案内用のトラック溝が形成されているため、データが書き込まれていない部分が存在してもトラッキング制御に不都合はない。また、ＲＦ信号検出回路２８ｄでは入力信号を中心レベルでスライスして２値化しているため、データが書き込まれていなくても回路ノイズ成分が２値化されデータとして取得される。
【０１４２】
また、上記実施形態では、オーディオデータの２セクタ分を特定パターンに書き換えているが、本発明がこれに限定されるものではない。但し、特定パターンに書き換える領域があまり大きいと、データ再生を安定して行なうことができなくなるおそれがある。また、特定パターンに書き換える領域があまり小さいと、エラー訂正処理で訂正されるため、オリジナルディスクであっても不正コピーされたディスクであると判定されるおそれがある。そこで、エラー訂正処理では訂正しきれない大きさで、かつアクセスに影響しない大きさが好ましい。
【０１４３】
また、上記実施形態では、ブート処理において、再生処理を３回行い、再生データが３回とも同じであったときに、光ディスクは不正にコピーされたディスクであると判断する場合について説明したが、これに限らず、例えば再生処理の繰り返し回数を更に多くしても良い。
【０１４４】
また、上記実施形態では、光ディスクにアプリケーションプログラムが記録されている場合について説明したが、これに限定されるものではなく、例えば画像データや映像データなどのＡＶデータであっても良い。要するに、再生要求があったときに、上記実施形態におけるブートプログラムと同様にして光ディスクの正当性判定を行ない、不正にコピーされたディスクであるときには、再生禁止にすれば良い。
【０１４５】
また、上記実施形態において、パターン判定回路２４ｃと同様な処理をＣＰＵ４０で行なっても良い。この場合には、パターン判定回路２４ｃは不要となる。
【０１４６】
また、上記実施形態において、ホストからの指示に基づいて、光ディスク装置において前記ブートプログラムと同様にして光ディスクの正当性判定を行なう判定プログラムを記録用データに付加しても良い。また、ホストからの指示に基づいて、光ディスク装置において前記オーディオトラックに記録されるデータを作成しても良い。すなわち、図８のフローチャートに示されるホストでの処理の一部を光ディスク装置で行なっても良い。この場合には、光ディスク装置によって本発明に係る情報記録装置が実現されることとなる。
【０１４７】
また、上記実施形態において、ホストと光ディスク装置とは、同一の筐体内に配置されていても良いし、別々の筐体内に配置されても良い。
【０１４８】
また、上記実施形態では、各インターフェースがＡＴＡＰＩの規格に準拠する場合について説明したが、これに限らず、例えばＡＴＡ（ＡＴ  Ａｔｔａｃｈｍｅｎｔ）、ＳＣＳＩ（Ｓｍａｌｌ  Ｃｏｍｐｕｔｅｒ  Ｓｙｓｔｅｍ  Ｉｎｔｅｒｆａｃｅ）、ＵＳＢ（Ｕｎｉｖｅｒｓａｌ  Ｓｅｒｉａｌ  Ｂｕｓ）１．０、ＵＳＢ２．０、ＩＥＥＥ１３９４、ＩＥＥＥ８０２．３、シリアルＡＴＡ及びシリアルＡＴＡＰＩのうちのいずれかの規格に準拠しても良い。
【０１４９】
また、上記実施形態では、光ディスク装置がＣＤ系の規格に準拠した光ディスクに対応する場合について説明したが、本発明がこれに限定されるものではなく、例えばＤＶＤ系の規格に準拠した光ディスクに対応する光ディスク装置であっても良い。この場合に、波長が約４０５ｎｍのレーザ光が用いられる光ディスクに対応する光ディスク装置であっても良い。さらに、互いに異なる規格に準拠した複数種類の光ディスクに対応する光ディスク装置であっても良い。要するに光源から出射されるレーザ光を用いて光ディスクに情報を記録する光ディスク装置であれば、本発明を適用することができる。
【０１５０】
また、上記実施形態では、情報の記録及び再生が可能な光ディスク装置について説明したが、これに限らず、情報の記録、消去及び再生のうち少なくとも記録が可能な光ディスク装置であれば良い。
【０１５１】
【発明の効果】
以上説明したように、本発明に係るコピープロテクト方法、記録方法、光ディスク装置及び情報記録システム並びに情報記録装置によれば、高コスト化を招くことなく、データの不正コピーを防止することができるという効果がある。
【図面の簡単な説明】
【図１】本発明の一実施形態に係る情報記録システムの概略構成を示すブロック図である。
【図２】図１における光ピックアップ装置の概略構成を説明するための図である。
【図３】図１における再生信号処理回路の詳細構成を説明するためのブロック図である。
【図４】図１におけるレーザコントロール回路の構成を説明するためのブロック図である。
【図５】図４におけるパターン判定回路の構成を説明するためのブロック図である。
【図６】図４におけるレベル設定回路の構成を説明するためのブロック図である。
【図７】図６におけるピークレベル設定回路の構成を説明するためのブロック図である。
【図８】ユーザからのコピープロテクト要求に応じて行なわれるホストにおける処理を説明するためのフローチャートである。
【図９】ホストからの記録要求コマンドに応じて行なわれる光ディスク装置における処理を説明するためのフローチャートである。
【図１０】ユーザからのアプリケーションの起動要求に応じて行なわれるホストにおける処理を説明するためのフローチャートである。
【図１１】ホストからの再生要求コマンドに応じて行なわれる光ディスク装置における処理を説明するためのフローチャートである。
【符号の説明】
１０…情報記録システム、１５…光ディスク、２０…光ディスク装置、２３…光ピックアップ装置、４０…ＣＰＵ（処理装置）、９０…ホスト（コンピュータ）。
【図１】
2004355765.tif 000003
【図２】
2004355765.tif 000004
【図３】
2004355765.tif 000005
【図４】
2004355765.tif 000006
【図５】
2004355765.tif 000007
【図６】
2004355765.tif 000008
【図７】
2004355765.tif 000009
【図８】
2004355765.tif 000010
【図９】
2004355765.tif 000011
【図１０】
2004355765.tif 000012
【図１１】
2004355765.tif 000013